(57)【特許請求の範囲】
【請求項１】
変圧器ケース内の下部側に変圧器コイルを有する変圧器本体が絶縁油と共に収容され、
前記変圧器ケース内の上部空間に開閉装置が収容され、
前記絶縁油の油面の上方には該絶縁油と前記開閉装置との間を仕切る隔壁が設けられ、
前記隔壁は、前記変圧器ケース内の下部側で生じた短絡事故時の急激な圧力上昇を受けたときに変形させられるように設けられていて、該隔壁の変形により前記変圧器ケース内の下部側の空間が上部空間に連通させられることにより前記変圧器ケース内の下部側の急激な圧力上昇が前記上部空間に伝達されるように構成され、
前記変圧器ケースの上部は、蓋により閉じられていて、前記変圧器ケース内の下部側の急激な圧力上昇が前記変圧器ケース内の上部空間に伝達されて該上部空間の圧力が急激に上昇したときに前記蓋の外周部が押し上げられることにより、該圧力を外部に放出する開口が形成されるように構成されている開閉装置内蔵柱上油入変圧器。
【請求項２】
前記開閉装置は、真空開閉器と避雷器と負荷電流監視用変流器とを含んでいる請求項１に記載の開閉装置内蔵柱上油入変圧器。
【請求項３】
前記変圧器ケースの上部側にはこれを気密に貫通してカットアウトスイッチが内蔵されているカットアウト内蔵ブッシングが設けられている請求項１または２に記載の開閉装置内蔵柱上油入変圧器。
【請求項４】
前記隔壁は、前記変圧器本体と前記開閉装置とを接続するケーブルを貫通させるところに設けられた分割部で２枚の分割板に分割されていて、通常は前記分割部が屈曲することなく平面をなして前記隔壁が前記変圧器ケース内の下部側と上部空間との間を仕切っているが、前記短絡事故時の急激な圧力上昇が生じた時には前記分割部が屈曲することにより前記変圧器ケース内の下部側の空間を上部空間に連通させるように構成されている請求項１，２または３に記載の開閉装置内蔵柱上油入変圧器。
【発明の詳細な説明】
【０００１】
【発明の属する技術分野】
本発明は、電柱に装柱する開閉装置内蔵柱上油入変圧器に関するものである。
【０００２】
【従来の技術】
従来、図５に示すように電柱１に変圧器２を装柱する場合には、変圧器２に付属する真空開閉器３と避雷器４とカットアウト５とも図示のように電柱１に支持されていた。
【０００３】
【発明が解決しようとする課題】
しかしながら、このような構造では、電柱１上で変圧器２，真空開閉器３，避雷器４，カットアウト５等の各機器が輻輳し、美観及び装柱作業性が悪い問題点があった。
【０００４】
本発明の目的は、電柱上で各機器が輻輳しない開閉装置内蔵柱上油入変圧器を提供することにある。
【０００５】
本発明の他の目的は、変圧器ケース内に開閉装置を収容しても絶縁破壊を生じない開閉装置内蔵柱上油入変圧器を提供することにある。
【０００６】
【課題を解決するための手段】
本発明に係る開閉装置内蔵柱上油入変圧器においては、変圧器ケース内の下部側に変圧器コイルを有する変圧器本体が絶縁油と共に収容され、変圧器ケース内の上部空間に開閉装置が収容されている。絶縁油の油面の上方には該絶縁油と開閉装置との間を仕切る隔壁が設けられている。この隔壁は、変圧器ケース内の下部側で生じた短絡事故時の急激な圧力上昇を受けたときに変形させられるように設けられていて、該隔壁の変形により変圧器ケース内の下部側の空間が上部空間に連通させられることにより変圧器ケース内の下部側の急激な圧力上昇が変圧器ケース内の上部空間に伝達されるように構成されている。また変圧器ケースの上部は、蓋により閉じられていて、変圧器ケース内の下部側の急激な圧力上昇が該変圧器ケース内の上部空間に伝達されて該上部空間の圧力が急激に上昇したときに前記蓋の外周部が押し上げられることにより、該圧力を外部に放出する開口が形成されるように構成されている。
【０００７】
このような開閉装置内蔵柱上油入変圧器によれば、変圧器本体を絶縁油と共に下部側に収容した変圧器ケース内の上部空間に、開閉装置を収容しているので、電柱上で各機器が輻輳しなくなり、美観及び装柱作業性を向上させることができる。また、変圧器ケース内の上部空間に開閉装置を収容しても、該開閉装置から金属粉等の異物が落下した際に隔壁でこれを受けることができ、変圧器本体側で絶縁破壊が生ずるのを防止することができる。
【０００８】
また、本発明に係る開閉装置内蔵柱上油入変圧器では、開閉装置は、真空開閉器と避雷器と負荷電流監視用変流器とを含んでいる。
【０００９】
このような構成によれば、変圧器ケースの外に真空開閉器と避雷器と負荷電流監視用変流器とが輻輳して存在しないようになる。
【００１０】
また、本発明に係る開閉装置内蔵柱上油入変圧器では、変圧器ケースの上部側にはこれを気密に貫通してカットアウトスイッチが内蔵されているカットアウト内蔵ブッシング設けられている。
【００１１】
このような構成によれば、変圧器ケースの外に独立してカットアウトが存在しなくなり、電柱上の機器の輻輳を防止することができる。
【００１２】
さらに、本発明に係る開閉装置内蔵柱上油入変圧器では、隔壁が、変圧器本体と開閉装置とを接続するケーブルを貫通させるところに設けられた分割部で２枚の分割板に分割されていて、通常は分割部が屈曲することなく平面をなして隔壁が変圧器ケース内の下部側と上部空間との間を仕切っているが、短絡事故時の急激な圧力上昇が生じた時に分割部が屈曲することにより変圧器ケース内の下部側の空間を上部空間に連通させるように構成されている。
【００１３】
このような構成によれば、変圧器ケース内での短絡事故時の急激な圧力上昇時に隔壁がケーブルを貫通させるところの分割部で屈曲して変圧器ケース内の下部側を上部空間に連通させることにより該圧力上昇を開閉装置側に伝達するので、該圧力上昇を変圧器ケースの上部から外部に放出することができる。
【００１４】
【発明の実施の形態】
図１乃至図４（Ａ）（Ｂ）は本発明に係る開閉装置内蔵柱上油入変圧器の実施の形態の一例を示したもので、図１は本例の開閉装置内蔵柱上油入変圧器の概略構成を示す縦断面図、図２は本例の開閉装置内蔵柱上油入変圧器の内部構成を示す縦断面図、図３は本例の開閉装置内蔵柱上油入変圧器の隔壁の箇所の上部での横断平面図、図４（Ａ）（Ｂ）は隔壁と蓋との関係の正常時の状態を示す縦断面図及び放圧時の状態を示す縦断面図である。
【００１５】
本例の開閉装置内蔵柱上油入変圧器は、図１及び図２に示すように、有底筒状の変圧器ケース６内の下部側にＵ，Ｖ，Ｗ相の変圧器コイル７Ｕ，７Ｖ，７Ｗを有する変圧器本体７が絶縁油８と共に収容されている。変圧器コイル７Ｕ，７Ｖ，７Ｗの鉄心９は、コア締め具１０で締め付けられている。各コア締め具１０は、変圧器ケース６の内壁に沿って立設された連結金具１１に支持されている。
【００１６】
変圧器本体７の上には、接地用変圧器１２が設置されている。この接地用変圧器１２まで絶縁油８の中に浸されている。
【００１７】
変圧器ケース６内の上部空間１３に開閉装置１４が収容されている。開閉装置１４は、真空開閉器と避雷器と負荷電流監視用変流器とを含んで構成されている。
【００１８】
絶縁油８の油面８ａ上には、該絶縁油８と開閉装置１４とを仕切る隔壁１５が変圧器ケース６内での短絡事故時の急激な圧力上昇時に変形して該圧力が開閉装置１４側に上昇できるように設けられている。即ち、隔壁１５は、例えばベーク板よりなっていて、変圧器本体７と開閉装置１４とを接続するケーブル１６Ｕ，１６Ｖ，１６Ｗを貫通させるところの分割部１５ａで分割板１５ｂ，１５ｃに分割されていて、通常は図３及び図４（Ａ）に示すように分割部１５ａは屈曲しない平面となって閉じていて、変圧器ケース６内での短絡事故時の急激な圧力上昇時に分割部１５ａが屈曲して該圧力が開閉装置１４側に上昇できるようになっている。隔壁１５は、分割部１５ａの下部の両側で支持体１７で支持されている。
【００１９】
変圧器ケース６の上部開口部を閉塞する蓋１８は、開閉装置１４側に上昇した圧力を外部に放出する開口１９を変圧器ケース６内での短絡事故時の急激な圧力上昇で形成できるように構成されている。本例では、蓋１８の外周側部分１８ａの肉厚を蓋１８の他の部分の肉厚より薄く形成していて、通常は図４（Ａ）に示すように変圧器ケース６の上部開口部を閉塞していて、変圧器ケース６内での短絡事故時の急激な圧力上昇時にはその圧力で蓋１８の外周側部分１８ａが押し上げられて図４（Ｂ）に示すように変形し、開口１９が形成されて前記圧力を外部に放出するようになっている。
【００２０】
変圧器ケース６の上部側には、これを気密に貫通してカットアウトスイッチが内蔵されているカットアウト内蔵ブッシング２０が設けられている。
【００２１】
なお、２１Ｕ，２１Ｖ，２１Ｗはケーブル１６Ｕ，１６Ｖ，１６Ｗを外部に引き出すブッシングである。また、２２は変圧器ケース６の外面に突設された放熱板である。
【００２２】
このような開閉装置内蔵柱上油入変圧器によれば、変圧器本体７を絶縁油８と共に下部側に収容した変圧器ケース６内の上部空間１３に、開閉装置１４を収容しているので、電柱１上で各機器が輻輳しなくなり、美観及び装柱作業性を向上させることができる。また、変圧器ケース６内の上部空間１３に開閉装置１４を収容しても、該開閉装置１４から金属粉等の異物が落下した際に隔壁１５でこれを受けることができ、変圧器本体７側で絶縁破壊が生ずるのを防止することができる。
【００２３】
また、開閉装置１４は、真空開閉器と避雷器と負荷電流監視用変流器とを含んでいるので、変圧器ケース６の外に真空開閉器と避雷器と負荷電流監視用変流器とが輻輳して存在しないようになる。
【００２４】
また、変圧器ケース６の上部側にはこれを気密に貫通してカットアウトスイッチが内蔵されているカットアウト内蔵ブッシング２０が設けられているので、変圧器ケース６の外に独立してカットアウトが存在しなくなり、電柱１上の機器の輻輳を防止することができる。
【００２５】
さらに、隔壁１５が、変圧器本体７と開閉装置１４とを接続するケーブル１６Ｕ，１６Ｖ，１６Ｗを貫通させるところの分割部１５ａで分割されていて、通常は分割部１５ａを中心とした部分は屈曲しない平面となって閉じていて、変圧器ケース６内での短絡事故時の急激な圧力上昇時に分割部１５ａが屈曲して該圧力が開閉装置１４側に上昇できるようになっているので、変圧器ケース６内での短絡事故時の急激な圧力上昇時に隔壁１５がケーブル１６Ｕ，１６Ｖ，１６Ｗを貫通させるところの分割部で屈曲され、該圧力を開閉装置１４側に上昇させ、蓋１８の外周側部分１８ａを押し上げて図４（Ｂ）に示すように変形させ、開口１９を形成し、この開口１９から該圧力を外部に放出することができる。
【００２６】
なお、変圧器本体７は３相に限らず、単相構造等であってもよい。
【００２７】
また、変圧器ケース６の上部における開口１９は、上記例の如くして形成するものに限定されるものではなく、放圧弁等を設けて形成してもよい。
【００２８】
また、隔壁１５は、上記例の如くして形成するものに限定されるものではなく、例えば一枚の板で形成して外周側を薄肉にして、変圧器ケース６内での短絡事故時の急激な圧力上昇時に変形させて該圧力を開閉装置１４側に上昇させるもの等であってもよい。
【００２９】
【発明の効果】
本発明に係る開閉装置内蔵柱上油入変圧器は、変圧器本体を絶縁油と共に下部側に収容した変圧器ケース内の上部空間に、開閉装置を収容しているので、電柱上で各機器が輻輳しなくなり、美観及び装柱作業性を向上させることができる。また、変圧器ケース内の上部空間に開閉装置を収容しても、該開閉装置から金属粉等の異物が落下した際に隔壁でこれを受けることができ、変圧器本体側で絶縁破壊が生ずるのを防止することができる。
【００３０】
また、本発明に係る開閉装置内蔵柱上油入変圧器で、開閉装置を真空開閉器と避雷器と負荷電流監視用変流器とを含んだ構成とすると、変圧器ケースの外に真空開閉器と避雷器と負荷電流監視用変流器とが輻輳して存在しないようになる。
【００３１】
また、本発明に係る開閉装置内蔵柱上油入変圧器で、変圧器ケースの上部側にこれを気密に貫通してカットアウトスイッチが内蔵されているカットアウト内蔵ブッシングを設けると、変圧器ケースの外に独立してカットアウトが存在しなくなり、電柱上の機器の輻輳を防止することができる。
【００３２】
さらに、本発明に係る開閉装置内蔵柱上油入変圧器で、隔壁を、変圧器本体と開閉装置とを接続するケーブルを貫通させるところの分割部で分割されていて、通常は分割部を中心とした部分は屈曲しない平面となって閉じていて、変圧器ケース内での短絡事故時の急激な圧力上昇時に分割部が屈曲して該圧力が開閉装置側に上昇できる構造にすると、変圧器ケース内での短絡事故時の急激な圧力上昇時に隔壁がケーブルを貫通させるところの分割部で屈曲され、該圧力を開閉装置側に上昇させ、変圧器ケースの上部から外部に放出させることができる。
【図面の簡単な説明】
【図１】  本発明に係る開閉装置内蔵柱上油入変圧器の実施の形態の一例の概略構成を示す縦断面図である。
【図２】  本例の開閉装置内蔵柱上油入変圧器の内部構成を示す縦断面図である。
【図３】  本例の開閉装置内蔵柱上油入変圧器の隔壁の箇所の上部での横断平面図である。
【図４】  （Ａ）（Ｂ）は隔壁と蓋との関係の正常時の状態を示す縦断面図及び放圧時の状態を示す縦断面図である。
【図５】  従来の柱上油入変圧器とその付属機器の電柱上での構成を示す説明図である。
【符号の説明】
１  電柱
２  変圧器
３  真空開閉器
４  避雷器
５  カットアウト
６  変圧器ケース
７  変圧器本体
７Ｕ，７Ｖ，７Ｗ  変圧器コイル
８  絶縁油
８ａ  油面
９  鉄心
１０  コア締め具
１１  連結金具
１２  接地用変圧器
１３  上部空間
１４  開閉装置
１５  隔壁
１５ａ  分割部
１５ｂ，１５ｃ  分割板
１６Ｕ，１６Ｖ，１６Ｗ  ケーブル
１７  支持体
１８  蓋
１８ａ  外周側部分
１９  開口
２０  カットアウト内蔵ブッシング
２１Ｕ，２１Ｖ，２１Ｗ  ブッシング
２２  放熱板
【図１】
0004731746.tif 000002
【図２】
0004731746.tif 000003
【図３】
0004731746.tif 000004
【図４】
0004731746.tif 000005
【図５】
0004731746.tif 000006